(57)【要約】  異形状の誘導加熱コイルであっても、外形状が変形しにくい誘導加熱コイルを提供する。  上記の課題を解決する為には、導線を巻回してリング状に形成することにより構成される誘導加熱コイルであって、誘導加熱コイルは、外形が異形状に形成されており、この外形状を保持するための形状保持手段が取付けられている誘導加熱コイルを用いればよい。  また、外郭を構成する本体と、本体の上面に設けられ、容器が載置されるトッププレートと、トッププレートの下方に設けられるコイルユニットを備え、コイルユニットは、コイルベースと、コイルベースの上方に設けられる複数の誘導加熱コイルを有し、複数の誘導加熱コイルのうち少なくとも１つは、導線を巻回してリング状に形成することにより構成されると共に外形が異形状に形成され、この外形状を保持するための形状保持手段が取付けられている誘導加熱調理器を用いればよい。
2012140886.tif 000002
【特許請求の範囲】
【請求項１】
導線を巻回してリング状に形成することにより構成される誘導加熱コイルであって、
前記誘導加熱コイルは、外形が異形状に形成されており、この外形状を保持するための形状保持手段が取付けられていることを特徴とする誘導加熱コイル。
【請求項２】
前記誘導加熱コイルは、複数の湾曲部が形成されており、前記形状保持手段は該湾曲部の近傍に取付けられていることを特徴とする請求項１に記載の誘導加熱コイル。
【請求項３】
前記誘導加熱コイルの口出し線の口出し位置は、前記形状保持手段が取付けられた位置の近傍であることを特徴とする請求項１又は請求項２に記載の誘導加熱コイル。
【請求項４】
前記形状保持手段はテープであり、リング状を形成している前記導線を束ねるように巻きつけられていることを特徴とする請求項１乃至請求項３に記載の誘導加熱コイル。
【請求項５】
前記テープは、耐熱性を有することを特徴とする請求項４に記載の誘導加熱コイル。
【請求項６】
外郭を構成する本体と、
前記本体の上面に設けられ、調理容器が載置されるトッププレートと、
前記トッププレートの下方に設けられるコイルユニットを備え、
前記コイルユニットは、コイルベースと、該コイルベースの上方に設けられる複数の誘導加熱コイルを有し、
前記複数の誘導加熱コイルのうち少なくとも１つは、導線を巻回してリング状に形成することにより構成されると共に外形が異形状に形成され、この外形状を保持するための形状保持手段が取付けられていることを特徴とする誘導加熱調理器。
【請求項７】
前記誘導加熱コイルは、複数の湾曲部が形成されており、前記形状保持手段は該湾曲部の近傍に取付けられていることを特徴とする請求項６に記載の誘導加熱調理器。
【請求項８】
前記誘導加熱コイルの口出し線の口出し位置は、前記形状保持手段が取付けられた位置の近傍であることを特徴とする請求項６又は請求項７に記載の誘導加熱調理器。
【請求項９】
前記形状保持手段はテープであり、リング状を形成している前記導線を束ねるように巻きつけられていることを特徴とする請求項６乃至請求項８に記載の誘導加熱調理器。
【請求項１０】
前記テープは、耐熱性を有することを特徴とする請求項９に記載の誘導加熱調理器。
【請求項１１】
前記コイルベースは、中央支持体と該中央支持体を中心に放射状に伸びる梁部を有し、
前記誘導加熱コイルは、前記形状保持手段と前記梁部が上下の位置関係となるように、前記梁部の上方に設けられることを特徴とする請求項９又は請求項１０に記載の誘導加熱調理器。
【請求項１２】
外郭を構成する本体と、
前記本体の上面に設けられ、調理容器が載置されるトッププレートと、
前記トッププレートの下方に設けられるコイルユニットを備え、
前記コイルユニットは、コイルベースと、該コイルベースの上方に設けられる複数の誘導加熱コイルを有し、
前記コイルベースは、中央支持体と該中央支持体を中心に放射状に伸びる梁部を有し、
前記梁部は、上方に向けて開口する凹部が形成されており、該梁部の上方に前記誘導加熱コイルが設けられることを特徴とする誘導加熱調理器。
【請求項１３】
外郭を構成する本体と、
前記本体の上面に設けられ、調理容器が載置されるトッププレートと、
前記トッププレートの下方に設けられるコイルユニットを備え、
前記コイルユニットは、コイルベースと、該コイルベースの上方に設けられる複数の誘導加熱コイルと、該誘導加熱コイルから生じる磁束の磁路となるフェライトを有し、
前記コイルベースは、中央支持体と該中央支持体を中心に放射状に伸びる梁部を有し、
前記梁部は、下方に向けて開口する前記フェライトを取付ける凹部が形成され、該凹部には前記梁部の上面と通ずる開口が形成されたことを特徴とする誘導加熱調理器。
【請求項１４】
外郭を構成する本体と、
前記本体の上面に設けられ、調理容器が載置されるトッププレートと、
前記トッププレートの下方に設けられるコイルユニットを備え、
前記コイルユニットは、コイルベースと、該コイルベースの上方に設けられる複数の誘導加熱コイルを有し、
前記コイルベースは、中央支持体と、該中央支持体を中心に放射状に伸びる複数の梁部と、隣り合う前記梁部を前記中央支持体を基準に環状につなぐ環状部を有し、
前記環状部は、前記加熱コイルを配置する領域を前記コイルベースの内側の領域と外側の領域とに分けることを特徴とする誘導加熱調理器。
【請求項１５】
前記コイルベースに複数の誘導加熱コイルが配置された状態において、前記環状部の内側に配置された加熱コイルと外側に配置された加熱コイルに挟まれた部位には、切り欠き部が形成されていることを特徴とする請求項１４に記載の誘導加熱調理。
【請求項１６】
前記環状部は、該環状部の外側に配置される誘導加熱コイルの位置決めとなることを特徴とする請求項１４に記載の誘導加熱調理器。
【発明の詳細な説明】
【技術分野】
【０００１】
本発明は、鍋などの調理容器を誘導加熱するための誘導加熱コイル、及び、この誘導加熱コイルを用いた加熱調理器に関する。
【背景技術】
【０００２】
従来から、誘導加熱調理器に用いられる誘導加熱コイルは、表面に熱溶着層を被覆した導線を円盤形状（リング形状）に巻回し、熱溶着層を熱溶着させることにより、巻回された導線を一体化したものが用いられている。
そして、このような誘導加熱コイルは、樹脂などにより形成されたコイルベースに他の機能部品と共に取り付けられて、コイルユニットとして誘導加熱調理器の本体に設けられる（例えば、特許文献１）。
【先行技術文献】
【特許文献】
【０００３】
【特許文献１】特開２０１１−１４４１６号公報（図４）
【発明の概要】
【発明が解決しようとする課題】
【０００４】
ところで、近年、上記の円盤形状（リング形状）の誘導加熱コイルの形状に加え、様々な形状のものが提案されている。
例えば、導線を楕円状に巻回して楕円形状に形成したものや、上記の誘導加熱コイルの様に、一度リング形状に形成したものをリングの径方向から挟み込むように力を加えて、円盤形状とは異なる異形状（扁平形状、まゆ形状、楕円形状など）に形成したものが提案されている。【０００５】
しかしながら、異形状の誘導加熱コイルは、円盤形状の誘導加熱コイルに比べて、巻回されている導線の位置によっては、曲がり度合い（曲率半径）が異なる部位があるので、誘導加熱コイル内部に作用する応力にバラつきがある。
つまり、誘導加熱コイルの曲がり半径が大きい部位と比較して、誘導加熱コイルの曲がり半径が小さい部位には、曲がり半径が大きくなる方向に働く応力が強い。
従って、誘導加熱コイル内部に働く応力が部位によって異なり、誘導加熱コイルの外形状が崩れやすい（変形しやすい）という課題があった。【０００６】
また、このような加熱コイルに、使用時の熱などにより変形が起きた場合でも、コイルベースから脱落したり位置がずれたりしないように、確実にコイルベースに取り付ける必要性が求められている。【０００７】
本発明は、円盤形状ではない異形状の誘導加熱コイルであっても、コイル外形状が変形しにくい誘導加熱コイルを提供すると共に、このような加熱コイルであっても、確実に取付けることが可能なコイルベースを有する誘導加熱調理器を提供することを目的とする。
【課題を解決するための手段】
【０００８】
上記の課題を解決する為には、導線を巻回してリング状に形成することにより構成される誘導加熱コイルであって、誘導加熱コイルは、外形が異形状に形成されており、この外形状を保持するための形状保持手段が取付けられている誘導加熱コイルを用いればよい。
また、外郭を構成する本体と、本体の上面に設けられ、容器が載置されるトッププレートと、トッププレートの下方に設けられるコイルユニットを備え、コイルユニットは、コイルベースと、該コイルベースの上方に設けられる複数の誘導加熱コイルを有し、複数の誘導加熱コイルのうち少なくとも１つは、導線を巻回してリング状に形成することにより構成されると共に外形が異形状に形成され、この外形状を保持するための形状保持手段が取付けられている誘導加熱調理器を用いればよい。
【発明の効果】
【０００９】
本発明によれば、異形状の誘導加熱コイルであっても、コイル外形状の変形などが生じにくい誘導加熱コイルを提供することが可能である。
【図面の簡単な説明】
【００１０】
【図１】実施の形態に係る加熱調理器の斜視図。
【図２】実施の形態に係る加熱調理器のトッププレートを取り外して示す斜視図。
【図３】図２の加熱調理器において左側のコイルユニットを拡大して示す上面図。
【図４】図３に示すコイルユニットの下面図。
【図５】加熱コイルが向かい合った位置を拡大した拡大斜視図。
【図６】図５の平面図。
【図７】図３のＹ−Ｙ断面図。
【図８】図３のＸ−Ｘ断面図。
【図９】図３のコイルユニットにおいて、周方向に延びて異形状のリング状に形成された加熱コイルを拡大して示す平面図。
【発明を実施するための形態】
【００１１】
以下、図面を参照して本発明の実施の形態について説明する。
図１〜図２を参照すると、本実施の形態の加熱調理器は、外郭を構成する加熱調理器本体１（以下、本体１）と、本体１の上部開口面を覆うように取り付けられ、外周に外枠を有するトッププレート２と、トッププレート２の後部の外枠に着脱自在に設けられた吸排気口のカバー３と、本体１の前面に配置された操作部４と、本体１の前面に操作部４と隣接して設けられたグリル扉５を備えている。
【００１２】
トッププレート２は、調理を行う際に上面に調理容器を載置するものであり、耐熱強化ガラスより構成されている。そして、このトッププレート２の下には、２つのコイルユニット６，７と、１つのヒーターユニット８が配置されている。
また、グリル扉５は、魚などを調理するグリル庫の開口を被うものであり、使用者がグリル扉５に設けられた取手を手前に引くことで開くことができる。
【００１３】
次に、本体１の左側に位置するコイルユニット６には、後述する、複数の加熱コイル６４，６５，６６が設けられ、本体１の右側に位置するコイルユニット７には、小径および大径のリング状の加熱コイルが設けられている。
また、コイルユニット６とコイルユニット７に挟まれた前方の位置には、ラジエントヒーターが設けられているヒーターユニット８が位置している。
【００１４】
そして、前述のコイルユニット６，７を構成する加熱コイルに、インバーター回路（図示せず）を介して高周波電流が流れると、加熱コイルから高周波電流に応じた磁束が発生し、その磁束によりトッププレート２に載置された調理容器の鍋などが誘導加熱される。  尚、ヒーターユニット８に代えて、コイルユニット７の外径より小さいコイルユニットを用いてもよい。
【００１５】
次に、図３〜図４を参照すると、コイルユニット６は、コイルベース６１と、このコイルベース６１に設けられる複数のフェライト６３と、複数の加熱コイル６４，６５，６６と、これらの各加熱コイルから延びる口出し線６６ｃ（図９において後述）と接続される端子台６９と、調理容器の温度を検出する温度検知センサー７０などを備えている。
コイルベース６１は、中央に位置する中央支持体６２と、この中央支持体６２を中心に放射状に伸びる複数の梁部６２ａと、この梁部６２ａの端部と連結されたリング形状の側板６２ｂと、中央支持体６２と側板６２ｂの間の隣り合う梁部６２ａを環状につなぐ環状部６２ｃを有し、平面視形状が円盤状となるように樹脂により一体に形成されている。
【００１６】
ここで、環状部６２ｃは、隣り合う梁部６２ａを繋ぐように設けられていればよく、平面視した場合、環状（円状）でも、四角状（他、多角形状）でもよい。
中央支持体６２は、本実施の形態において、梁部６２ａが集まるような部位が位置しているが、中央が開口して、この開口を囲む環状に形成された部位でもよい。
【００１７】
この梁部６２ａは、中央支持体６２と側板６２ｂとを繋ぐものと、環状部６２ｃと側板６２ｂとを繋ぐものがある。
つまり、コイルベース６１には、環状部６２ｃと中央支持体６２との間に、梁部６２ａと中央支持体６２と環状部６２ｃに囲まれた開口６２ｘが形成されている。
【００１８】
この開口６２ｘは、温度検知センサー４０などの温度検知部が設けられたり、コイルベース６１が本体に取付けられた際に、コイルベース６１の下方から上方へ向けて、加熱コイル６４，６５，６６を冷却するための冷却風の風路としての開口となったりする。
このように、コイルベース６１の梁部６２ａを構成することにより、コイルベース６１の強度を確保すると共に、機能部品の取付け位置や冷却風の風路を確保することが可能となっている。
このような構成は、本実施の形態のようにコイルベース６１の外側に複数の加熱コイル６６を設けることで、コイルベース６１の外周側の重量が増えるコイルユニットに有効な構成である。
【００１９】
また、側板６２ｂの外周には、外周全体覆うように防磁リング７５が設けられている。
この防磁リング７５は、コイルユニット６の外に加熱コイル６４，６５，６６から生じる磁束を漏れ難くするためのもので、組立作業時に、作業者がコイルユニット６の上下がわかるように、コイルユニット６の上位置にリングを閉じるかしめ部７５ａが位置している。
【００２０】
また、図５〜図７を参照すると、環状部６２ｃは、コイルベース６１に形成された中央支持体６２と側板６２ｂのおおよそ中間に位置している。
そして、この環状部６２ｃは、後述する略円状のリングに形成された加熱コイル６４と加熱コイル６５の配置領域と、異形状のリング形状の加熱コイル６６の搭載領域を、コイルベース６１の内側と外側に分けるように、中央支持体６２を中心とした円状に形成されている。
つまり、環状部６２ｃの内側に加熱コイル６４と加熱コイル６５が配置され、外側に異形状のリング形状の加熱コイル６６が均等に配置される。また、この環状部６２ｃは、梁部６２ａに接続されている。
【００２１】
更に、この環状部６２ｃは、後述する加熱コイル６４，６５，６６を設ける梁部６２ａの上面に対して、突出している。そして、環状部６２ｃの突出した部位であって、各加熱コイルがコイルベース６１に設けられた状態で、加熱コイル６５と加熱コイル６６が向かい合う位置には、一部が凹んでいる切り欠き部６２ｄが形成されている。
尚、この切り欠き部６２ｄの凹は、中央支持体６２側に向いて開口している。
【００２２】
そして、図３のＸ−Ｘ断面図である図８を参照すると、梁部６２ａは、中央支持体６２に向かう方向に対して直角の断面形状が、上下方向に開口する形状（例えば、Ｈの字状）に形成され、その下方向に向く開口６２ｅにはフェライト６３が嵌め込まれている。
また、コイルベース６１の上側面、つまり、梁部６２ａに設けられたフェライト６３が位置する側の反対側には、後述する加熱コイル６４、６５、６６が設けられる。
【００２３】
この梁部６２ａの上方向に向く凹状の開口６２ｆは、加熱コイル６４，６５，６６を梁部６２ａの上に設けた際に、加熱コイル６４，６５，６６を梁部６２ａに対して固定するための接着剤（例えば、シリコン）が塗布される部位であり、また、梁部６２ａと加熱コイル６４，６５，６６との間に空間を形成するためのものである。
このように開口６２ｆを形成することで、加熱コイルをコイルベースに固定するための接着剤の塗布部位を形成して、梁部６２ａの外部への接着剤のはみ出しを防止することができる。
【００２４】
また、この開口６２ｆへ塗布する接着剤を塗布しない部分を形成する、又は、部分的に塗布しないことにより、梁部６２ａと加熱コイルとの間に空隙を形成することで、空気の流路とすることができる。
これにより、各加熱コイル６４，６５，６６と梁部６２ａが上下に重なる部位にも、冷却風を流下させることができ、加熱コイルの冷却が可能となる。
【００２５】
また、図３のＹ−Ｙ断面図である図７を参照すると、中央支持体６２と側板６２ｂを繋ぐ梁部６２ａの中央支持体６２に向かう方向に対して平行な断面形状は、上面の一部が上方（加熱コイルが設けられている方向）に突出することで下側から上方に向けて凹む凹部６２ｇが形成されている。
前述したように、梁部６２ａの下側には、フェライト６３が設けられるが、このフェライト６３は、上方に一部が突出する凸部６３ａを有し、梁部６２ａの凹部６２ｇにこの凸部６３ａが入り込むことで、フェライト６３の位置決め及び固定が成されている。
【００２６】
また、梁部６２ａの凹部６２ｇには、コイルベース６１の上面（表面）と通ずる位置（凹部の底）に開口６２ｈが形成されている。
この開口６２ｈは、コイルベース６１へのフェライト６３の装着状態を確認するフェライト装着状態確認部であり、この開口６２ｈを通してフェライト６３を見ることで、フェライト６３が、確実に梁部６２ａ（コイルベース６１）に取付けられているか否かをコイルベース６１の上面側から確認することができる。
【００２７】
これにより、コイルユニットを組み立てる際に、コイルユニットを裏返すことなくフェライト６３の装着の有無を確認することができる。
この開口６２ｈは、フェライト６３の装着状態を確認することができれば良いことから、場合によっては、梁部６２ａを開口させずに、フェライト６３が梁部６２ａを通して透けて見える程度の部材の厚さにしてもよい。
また、本実施の形態のように凸部６３ａに開口６２ｈを形成することで、作業者により確認位置を近づけて、フェライト６３を確認しやすく構成できるが、凸部６３ａを形成しないで、開口６２ｈを形成しただけでも、フェライト６３の有無は確認可能である。
【００２８】
尚、上記のようにコイルベース６１に設けられたフェライト６３は、加熱コイル６４、６５、６６から発生する磁束のうち下方や側方に漏洩する磁束の磁路としての役割をなしている。
これによって、コイルユニット６から漏れる磁束を防止でき、操作部４に設けられた回路基板上の電子部品や、加熱コイル６４、６５、６６に高周波電流を供給するための回路基板上の電子部品などへ悪影響を与えないように防いでいる。
【００２９】
次に、図３を参照すると、コイルユニット６の加熱コイル６４は、導線を巻回することにより円形のリング形状に形成され、中央支持体６２を中心に、中央支持体６２の外周を囲むように配置される。また、加熱コイル６５は、導線を巻回することにより、加熱コイル６４の外径より大きい円形のリング状に形成され、その加熱コイル６４の外周を囲むように配置されている。
次に、加熱コイル６６は、円盤状であるコイルベース６１の周方向に延びた略まゆ型形状である異形状であるリング状に形成され、加熱コイル６５の周囲に周方向に等間隔に例えば４個配置されている。
【００３０】
上記の異形状であるリング状の各加熱コイル６６は、例えば、次のように製造される。
まず、加熱コイル６６の元となるコイルを、導線となる線材を巻回することにより所定のリング形状に作成する。
例えば、本実施の形態の場合、まずコイルを略楕円形状に形成する。そして、この加熱コイル６６の元となるコイルをプレス加工などにより、所定の異形状に整え、前述したような異形状であるリング状の加熱コイル６６が成形される。
このプレス加工を経た段階において、異形状であるリング状に成形されたコイルには、プレス加工する前の形状に戻ろうとする応力（残留応力）が残留している。
【００３１】
次に、前記のようにプレス加工した後のコイルを加熱処理することにより、プレス加工する前の形状に戻ろうとする応力を除去することで、異形状のリング状の加熱コイル６６が構成される。
この加熱処理を施すことによって、加熱コイル６６の素材の再結晶化を促進して残留応力が緩和し、実使用時の温度帯においての変形防止を可能にしている。この加熱処理後の加熱コイル６６の材料には、再結晶化による粒成長が見られる。
【００３２】
ここで、加熱コイル６６を製造する過程で、コイルの残留応力を除去するために前述の通り加熱処理を行うが、コイルに対して加熱しすぎると、耐絶縁性能が低下し、寿命の短い加熱コイル６６となる恐れがあるため、完全に残留応力を除去する程度まで加熱処理を行わない。
つまり、加熱コイル６６には、若干、残留応力が残った状態となっている。そこで、次に説明するように加熱コイル６６に形状保持手段を取り付けることにより、若干残っている残留応力に対応している。
【００３３】
次に、異形状である加熱コイル６６の形状を保持する形状保持手段について説明する。
図９を参照すると、前記のようにプレス加工と熱処理によって構成された前述の加熱コイル６６は、形状保持手段であるテープ７１によって、加熱コイル６６の辺を束ねて保持することにより、加熱コイル６６に残る残留応力による元の形状へと戻ろうとする広がりを防ぐと共に、その加熱コイル６６の外周壁面に形成された垂直面６６ａ（図７参照）が保持される。
【００３４】
尚、本実施の形態の加熱コイル６６の場合、加熱コイル６６の平面形状をまゆ型の様にに構成するため、向かい合う長辺同士を繋ぐ図中左右に位置する湾曲部６６ｂの曲率半径ｒは、コイルベース６１に設けられた際にコイルユニット６の外側を向く長辺の曲率半径Ｒ１や、コイルユニット６の内側に向く長辺の曲率半径Ｒ２に比べて、小さく形成されている。
【００３５】
つまり、ここでいう異形状の加熱コイル６６とは、異なる大きさの湾曲部を複数箇所有するものや、加熱コイルを構成するリング状の導線の束の湾曲具合が部位によって異なるものと考えてよい。
また、楕円のように、同じ複数の湾曲部と、この湾曲部同士を繋ぐ湾曲していない部分とを組み合わせたものも同様に異形状の加熱コイルということができる。
【００３６】
このように、加熱コイル６６は、異形状に構成されていることにより、曲率半径ｒが大きくなる（広がる）方向、つまり、向かい合う長辺同士が離れる方向に、形状が崩れやすい。
前記のように、崩れやすい加熱コイル６６の外形状を、テープ７１を用いて、束となってリング状を形成している導線を束ねるように巻きつけて保持する方法として、次のような方法がある。
【００３７】
この保持方法の１つの例としてとして、図９（ａ）に示す方法は、加熱コイル６６の長手方向（図中、左右方向）に対して直交する方向の中央１カ所に、向かい合う加熱コイル６６の辺が束ねられるようにテープ７１を巻き付ける方法である。
このようにテープ７１を加熱コイル６６に巻き付ければ、１つの巻き付け位置で加熱コイル６６の残留応力などによる広がりを防ぐことが可能となる。
【００３８】
また、他の例として、図９（ｂ）に示す方法は、加熱コイル６６の長手方向に対して直交する方向の両側に、向かい合う加熱コイル６６の長辺が束ねられるようにそれぞれテープ７１を巻き付ける方法である。
このときテープを巻回する位置は、湾曲する曲率半径ｒが小さい湾曲部６６ｂに近い位置となるようにするとよい。つまり、加熱コイル６６の湾曲がきつい位置の手前側にテープを巻回するとよい。
【００３９】
このようなテープ７１の巻き付け方法であれば、残留応力による元の形状に戻ろうとする力が強いコイルの湾曲部６６ｂの近くで加熱コイル６６を保持できるので、より強固に加熱コイル６６の形状を保持可能である。
尚、湾曲部６６ｂの近くにテープ７１を巻回して加熱コイル６６を保持する形態について、図５及び図６のように、１つの長辺のみにテープ７１を巻回しても同様な効果を得ることができる。
【００４０】
更に、他の例として図９（ｃ）に示す方法は、加熱コイル６６の内側の長辺（図中、下側の長辺）の加熱コイルを構成する導線の束をテープ７１で巻き付ける方法である。
このようなテープ７１の巻き付け方法であれば、加熱コイル６６が元の形状に復元しようとする力により生じるコイルの束なりの乱れを防止することが可能であると共に、湾曲部及び加熱コイル全体の広がりを防止することができる。
【００４１】
また、以上のように構成された加熱コイル６６は、口出し線６６ｃが巻回されているテープ７１の近傍から導線が口出しされて、導線の先端に取付けられた端子６９ａが、加熱コイルへと給電を行う給電部へと接続されている端子台６９へ固定される。
この端子台６９は、コイルベース６１の裏面に配置されており、口出し線６６ｃは口出し位置から梁部６２ａの間を通り、コイルベース６１の裏面へと導かれる。
【００４２】
このように、導線の口出し位置近傍にテープ７１を巻回することで、巻回された導線がほつれることを防ぐことができる。特に、加熱コイル６６の変形に伴う導線のほつれを防止することができる。
尚、本実施の形態で使用するテープ７１は、例えば、熱や変形に強いガラスクロステープが使用されている。
【００４３】
以上、本実施の形態において、異形状であるまゆ形の加熱コイルについて説明したが、加熱コイルの内部において、コイルの外形を崩すような内部応力を有する、又は、使用に伴いこのような内部応力が生じる加熱コイルに対して本発明は有効である。
例えば、部分的に湾曲部が形成されている加熱コイルや、湾曲部と湾曲部を直線で繋いだ形状のコイル（三角形状、四角形状）や、陸上競技場のトラックのような形状やオーバル形状のものに対しても、本発明は有効である。
【００４４】
次に、加熱コイル６６が、コイルベース６１に取付けられた状態について説明する。
図７を参照すると、実施の形態１で説明した変形リング形状の加熱コイル６６は、所定の形状に整える為のプレス加工などの際に、外周壁面が平面となるように加工される。特に本実施の形態においては、コイルの外周壁面は、コイルベース６１の各加熱コイルの搭載面に対して、垂直な面（以下、「垂直面６６ａ」という）となるようにプレス加工される。
ここでいう、垂直面６６ａとは、完全な面を意味するものではなく、加熱コイル６６の外周壁面を構成する線材の外側の面を繋ぐ面が、略平面に構成されていればよい。
【００４５】
そして、このように構成された異形状のリング形状の加熱コイル６６は、次のようにコイルベース６１に取付けられる。
図５〜図７を参照すると、加熱コイル６６は、コイルベース６１の側板６２ｂから中央支持体６２方向に突出して形成されたリブ状の位置決め凸部６７と、この位置決め凸部６７と環状部６２ｃに囲まれて形成される取付けエリアに設けられる。
尚、加熱コイル６６は、コイルベース６１のコイルの取付けエリアに対して垂直方向から取り付けられる。つまり、加熱コイル６６の取り付け方向は、垂直面６６ａと平行となっている。
【００４６】
具体的には、１つの加熱コイル取付けエリアに着目すると、加熱コイル６６がコイルベース６１の各部に対して、次のように取付けられる。
まず、コイルベース６１に形成された位置決め凸部６７と、この位置決め凸部６７と対向している環状部６２ｃとで形成されるエリアに嵌め込まれる。このとき、加熱コイル６６に巻回されたテープ７１は、梁部６２ａと上下の位置関係になるように配置される（例えば、図５〜図６参照）。
つまり、加熱コイル６６のコイルベース６１の配置位置を形成する部位と、加熱コイル６６を構成する導線との間に、形状保持手段であるテープ７１が介在することとなる。
【００４７】
また、加熱コイル６６は、加熱コイル６５と対向する辺である第２の長辺６６ｄ側の外周面６６ｅが、環状部６２ｃに接することで、コイルベース６１に対して位置を決めている。
更に、位置決め凸部６７と加熱コイル６６の間には、加熱コイル６６をコイルベース６１に取付けた時には、若干のクリアランスが形成されている。
【００４８】
以上のように、位置決め凸部６７と環状部６２ｃの加熱コイル６６が取り付けられる側の面は、コイルベース６１の加熱コイルの取り付け面に対して、垂直に構成されている。
従って、加熱コイル６６が取り付けエリアに嵌め込まれる際に、加熱コイル６６の垂直面６６ａと各位置決め凸部６７及び環状部６２ｃの垂直面は平面が合わさることで、加熱コイル６６をコイルベース６１に対して、正しく容易に嵌め込むことが可能である。
【００４９】
尚、環状部６２ｃには、凹形状の切り欠き部６２ｄが形成されているので、加熱コイル６６を取り付けエリアに取り付ける際に、加熱コイル６６を掴む作業者の指、又は、自動コイル取付け機の爪が入り込むことができる。
これにより、加熱コイル６６の取り付け工程の作業性を向上させることができる。
【００５０】
更に、加熱コイル６６が、残留応力が残った状態でコイルベース６１に取り付けられても、前記のように加熱コイル６６と接する部位が平面である位置決め凸部６７及び環状部６２ｃに、垂直面６６ａが接して取り付けエリアに設けられるので、コイルベース６１へ取り付けた後でも、加熱コイル６６の大きな変形を防止することができる。
【００５１】
つまり、前記の位置決め凸部６７及び環状部６２ｃにより形成されたコイルベース６１の取り付けエリアに加熱コイル６６を設けることで、加熱コイル６６に発生する残留応力により若干変形しても、外周壁面の垂直面６６ａと位置決め凸部６７と環状部６２ｃの面が平行に合わさるので、変形を抑えることができる。
【００５２】
更に、加熱コイル６６に巻回されたテープ７１は、加熱コイル６６の配置位置である梁部６２ａと上下の位置関係になるように配置することで、加熱コイル６６を構成する導線が、梁部６２ａに直接接触しにくくなり、導線の傷つき等を防止することが可能となる。
また、位置決め凸部６７と加熱コイル６６の間には、加熱コイル６６をコイルベース６１に取付けた時には、若干のクリアランスが形成されるように構成されているので、加熱コイル６６のように製造上の大きさのばらつきがあるものであっても、確実に取付けることができる。
【００５３】
また、加熱コイル６６が変形したとしても、位置決め凸部６７により加熱コイル６６の外周面を保持するので、取り付けエリアの外へのコイルの広がりを防止することができる。
特にこの実施の形態の場合、加熱コイル６６の外周面は梁部６２ａの搭載面に対して垂直に構成されていると共に、外周面と接する位置決め凸部６７も梁部６２ａの搭載面に対して垂直に構成されているので、位置決め凸部６７は互いに平行に合わさり、より確実に加熱コイル６６を保持することができる。
【符号の説明】
【００５４】
１  加熱調理器本体、２  トッププレート、３  カバー、４  操作部、５  グリル扉、６  コイルユニット、６１  コイルベース、６２  中央支持体、６２ａ  梁部、６２ｂ  側板、６３  フェライト、６４、６５、６６  加熱コイル、６６ａ  垂直面、６７  位置決め凸部、７  コイルユニット、８  ヒーターユニット、７１  テープ。
【図１】
2012140886.tif 000003
【図２】
2012140886.tif 000004
【図３】
2012140886.tif 000005
【図４】
2012140886.tif 000006
【図５】
2012140886.tif 000007
【図６】
2012140886.tif 000008
【図７】
2012140886.tif 000009
【図８】
2012140886.tif 000010
【図９】
2012140886.tif 000011
【手続補正書】
【提出日】平成25年9月5日(2013.9.5)
【手続補正１】
【補正対象書類名】明細書
【補正対象項目名】０００８
【補正方法】変更
【補正の内容】
【０００８】
上記の課題を解決する為には、導線を巻回してリング状に形成することにより構成される誘導加熱コイルであって、前記導線を巻回した外形が異形状に形成されており、この外形状を保持するための形状保持手段を備える誘導加熱コイルを用いればよい。
また、外郭を構成する本体と、本体の上面に設けられ、容器が載置されるトッププレートと、トッププレートの下方に設けられるコイルユニットを備え、コイルユニットは、コイルベースと、該コイルベースの上方に設けられる複数の誘導加熱コイルを有し、複数の誘導加熱コイルのうち少なくとも１つは、導線を巻回してリング状に形成することにより構成されると共に外形が異形状に形成され、この外形状を保持するための形状保持手段が取付けられている誘導加熱調理器を用いればよい。
【手続補正２】
【補正対象書類名】特許請求の範囲
【補正対象項目名】全文
【補正方法】変更
【補正の内容】
【特許請求の範囲】
【請求項１】
導線を巻回してリング状に形成することにより構成される誘導加熱コイルであって、
前記導線を巻回した外形が異形状に形成されており、この外形状を保持するための形状保持手段を備えることを特徴とする誘導加熱コイル。
【請求項２】
前記誘導加熱コイルは、複数の湾曲部が形成されており、前記形状保持手段は該湾曲部の近傍に取付けられていることを特徴とする請求項１に記載の誘導加熱コイル。
【請求項３】
前記誘導加熱コイルの口出し線の口出し位置は、前記形状保持手段が取付けられた位置の近傍であることを特徴とする請求項１又は請求項２に記載の誘導加熱コイル。
【請求項４】
前記形状保持手段はテープであり、リング状を形成している前記導線を束ねるように巻きつけられていることを特徴とする請求項１乃至請求項３に記載の誘導加熱コイル。
【請求項５】
前記テープは、耐熱性を有することを特徴とする請求項４に記載の誘導加熱コイル。
【請求項６】
外郭を構成する本体と、
前記本体の上面に設けられ、調理容器が載置されるトッププレートと、
前記トッププレートの下方に設けられるコイルユニットを備え、
前記コイルユニットは、コイルベースと、該コイルベースの上方に設けられる複数の誘導加熱コイルを有し、
前記複数の誘導加熱コイルのうち少なくとも１つは、導線を巻回してリング状に形成することにより構成されると共に外形が異形状に形成され、この外形状を保持するための形状保持手段を備えることを特徴とする誘導加熱調理器。
【請求項７】
前記誘導加熱コイルは、複数の湾曲部が形成されており、前記形状保持手段は該湾曲部の近傍に取付けられていることを特徴とする請求項６に記載の誘導加熱調理器。
【請求項８】
前記誘導加熱コイルの口出し線の口出し位置は、前記形状保持手段が取付けられた位置の近傍であることを特徴とする請求項６又は請求項７に記載の誘導加熱調理器。
【請求項９】
前記形状保持手段はテープであり、リング状を形成している前記導線を束ねるように巻きつけられていることを特徴とする請求項６乃至請求項８に記載の誘導加熱調理器。
【請求項１０】
前記テープは、耐熱性を有することを特徴とする請求項９に記載の誘導加熱調理器。
【請求項１１】
前記コイルベースは、中央支持体と該中央支持体を中心に放射状に伸びる梁部を有し、
前記誘導加熱コイルは、前記形状保持手段と前記梁部が上下の位置関係となるように、前記梁部の上方に設けられることを特徴とする請求項９又は請求項１０に記載の誘導加熱調理器。
【請求項１２】
外郭を構成する本体と、
前記本体の上面に設けられ、調理容器が載置されるトッププレートと、
前記トッププレートの下方に設けられるコイルユニットを備え、
前記コイルユニットは、コイルベースと、該コイルベースの上方に設けられる複数の誘導加熱コイルを有し、
前記コイルベースは、中央支持体と該中央支持体を中心に放射状に伸びる梁部を有し、
前記梁部は、上方に向けて開口する凹部が形成されており、該梁部の上方に前記誘導加熱コイルが設けられることを特徴とする誘導加熱調理器。
【請求項１３】
外郭を構成する本体と、
前記本体の上面に設けられ、調理容器が載置されるトッププレートと、
前記トッププレートの下方に設けられるコイルユニットを備え、
前記コイルユニットは、コイルベースと、該コイルベースの上方に設けられる複数の誘導加熱コイルと、該誘導加熱コイルから生じる磁束の磁路となるフェライトを有し、
前記コイルベースは、中央支持体と該中央支持体を中心に放射状に伸びる梁部を有し、
前記梁部は、下方に向けて開口する前記フェライトを取付ける凹部が形成され、該凹部には前記梁部の上面と通ずる開口が形成されたことを特徴とする誘導加熱調理器。
【請求項１４】
外郭を構成する本体と、
前記本体の上面に設けられ、調理容器が載置されるトッププレートと、
前記トッププレートの下方に設けられるコイルユニットを備え、
前記コイルユニットは、コイルベースと、該コイルベースの上方に設けられる複数の誘導加熱コイルを有し、
前記コイルベースは、中央支持体と、該中央支持体を中心に放射状に伸びる複数の梁部と、隣り合う前記梁部を前記中央支持体を基準に環状につなぐ環状部を有し、
前記環状部は、前記加熱コイルを配置する領域を前記コイルベースの内側の領域と外側の領域とに分けることを特徴とする誘導加熱調理器。
【請求項１５】
前記コイルベースに複数の誘導加熱コイルが配置された状態において、前記環状部の内側に配置された加熱コイルと外側に配置された加熱コイルに挟まれた部位には、切り欠き部が形成されていることを特徴とする請求項１４に記載の誘導加熱調理。
【請求項１６】
前記環状部は、該環状部の外側に配置される誘導加熱コイルの位置決めとなることを特徴とする請求項１４に記載の誘導加熱調理器。
【国際調査報告】
2012140886.tif 000012
2012140886.tif 000013
2012140886.tif 000014
2012140886.tif 000015
2012140886.tif 000016
2012140886.tif 000017